【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
超音波手術用アセンブリにおいて、
再利用可能なコードレス超音波トランスデューサと、
ディスポーザブルのハンドル本体であって、
内部にバッテリ保持区画を規定しており、
超音波手術用導波管を具え、
前記トランスデューサから前記導波管に脱着可能に連結するよう操作可能であるハンドル本体とを具え、
前記トランスデューサは、前記ハンドル本体に着脱式に連結可能であることを特徴とする超音波手術用アセンブリ。
【請求項２】
請求項１に記載の超音波手術用アセンブリにおいて、さらに、前記バッテリ保持区画内に配置されるバッテリを具えることを特徴とする超音波手術用アセンブリ。
【請求項３】
請求項２に記載の超音波手術用アセンブリにおいて、前記バッテリは、前記ハンドル本体に一体化されるか、前記ハンドル本体から脱着可能のいずれかであることを特徴とする超音波手術用アセンブリ。
【請求項４】
請求項１に記載の超音波手術用アセンブリにおいて、前記導波管の回転により前記トランスデューサに対応する回転が生じるように、前記ハンドル本体が前記導波管と前記トランスデューサを回転可能に連結していることを特徴とする超音波手術用アセンブリ。
【請求項５】
請求項１に記載の超音波手術用アセンブリにおいて、前記導波管は、前記ハンドル本体に回転可能に連結されるとともに、前記ハンドル本体から脱着交換可能であることを特徴とする超音波手術用アセンブリ。
【請求項６】
請求項５に記載の超音波手術用アセンブリにおいて、前記導波管がディスポーザブルであることを特徴とする超音波手術用アセンブリ。
【請求項７】
超音波手術用アセンブリであって、
超音波手術用導波管と、
再利用可能なコードレス超音波トランスデューサと、
バッテリと、
前記導波管およびトランスデューサと脱着可能に連結するよう操作可能なディスポーザブルのハンドル本体とを具え、前記トランスデューサが前記ハンドル本体から分離可能であることを特徴とする超音波手術用アセンブリ。
【請求項８】
請求項７に記載の超音波手術用アセンブリにおいて、
前記バッテリは、前記ハンドル本体に一体化されるか、前記ハンドル本体から脱着可能のいずれかであり、
前記ハンドル本体は、前記導波管の回転により前記トランスデューサに対応する回転が生じるように、前記導波管と前記トランスデューサを回転可能に連結しており、
前記導波管は、前記ハンドル本体に回転可能に連結されるとともに、前記ハンドル本体から脱着交換可能であることを特徴とする超音波手術用アセンブリ。
【請求項９】
超音波手術用アセンブリであって、
近位の連結部を有するディスポーザブルの超音波導波管と、
前記近位の連結部に着脱式に連結可能な遠位の連結部を有する再利用可能なコードレス超音波トランスデューサと、
バッテリと、
内部に前記バッテリを脱着可能に収容する形状のバッテリ保持区画を規定するディスポーザブルのハンドル本体とを具え、当該ハンドル本体が：
周囲に露出され前記トランスデューサを交換可能に保持するよう形成されたトランスデューサドックと、
前記導波管が装着されたときに、前記遠位および近位の連結部を整列させて連結し、前記導波管と前記トランスデューサを前記ハンドル本体に保持する導波管取付ドックと、
前記ハンドル本体のディスポーザブルな駆動波生成回路であって、前記バッテリと前記トランスデューサを電気的に接触させ、前記トランスデューサが前記導波管に連結されたときに、前記トランスデューサを通る前記導波管の超音波動作を生じさせる出力波形を生成するよう動作可能な生成回路とを具えることを特徴とする超音波手術用アセンブリ。
【請求項１０】
請求項９に記載の超音波手術用アセンブリにおいて、前記遠位と近位の連結部は、ねじ穴とねじロッドを具えることを特徴とする超音波手術用アセンブリ。
【請求項１１】
請求項９に記載の超音波手術用アセンブリにおいて、前記導波管は、前記ハンドル本体に縦に固定されていることを特徴とする超音波手術用アセンブリ。
【請求項１２】
請求項９に記載の超音波手術用アセンブリにおいて、前記導波管は、前記ハンドル本体に解放可能に連結されていることを特徴とする超音波手術用アセンブリ。
【請求項１３】
請求項９に記載の超音波手術用アセンブリにおいて、前記バッテリがディスポーザブルであることを特徴とする超音波手術用アセンブリ。
【請求項１４】
請求項９に記載の超音波手術用アセンブリにおいて、前記バッテリが再利用可能であり、さらに、前記ハンドル本体のバッテリ保持区画部分に可動に取り付けられた区画ドアを具え、当該ドアが：
前記バッテリ保持区画に前記バッテリの出し入れがそれぞれ可能な開位置と、
前記バッテリ保持区画を周囲から無菌閉塞する閉位置とを有することを特徴とする超音波手術用アセンブリ。
【請求項１５】
請求項９に記載の超音波手術用アセンブリにおいて、
前記トランスデューサドックは、内部に前記導波管を回転可能に接続するよう動作可能であり、
前記取付ドックと前記トランスデューサドックは、前記導波管と前記トランスデューサを直接的、物理的に結合するよう形成および配置され、前記導波管が回転すると前記ハンドル本体に対する前記トランスデューサの対応する回転を生じさせることを特徴とする超音波手術用アセンブリ。
【請求項１６】
請求項１５に記載の超音波手術用アセンブリにおいて、前記導波管ドックは、前記ハンドル本体に対する内部の導波管の最大回転量を制限するよう動作可能であることを特徴とする超音波手術用アセンブリ。
【請求項１７】
請求項１５に記載の超音波手術用アセンブリにおいて、前記トランスデューサドックは、前記ハンドル本体に対する内部のトランスデューサの最大回転量を制限するよう動作可能であることを特徴とする超音波手術用アセンブリ。
【請求項１８】
請求項９に記載の超音波手術用アセンブリにおいて、前記ハンドル本体がハンドグリップを具え、前記バッテリ保持区画は前記ハンドグリップ内にあることを特徴とする超音波手術用アセンブリ。
【請求項１９】
請求項９に記載の超音波手術用アセンブリにおいて、さらに、前記ハンドル本体に連結接続されて、前記導波管、前記トランスデューサ、前記バッテリ、前記生成回路、および前記ハンドル本体のうちの１以上についての情報の少なくとも一部を伝達するよう動作可能なデバイス識別部を具えることを特徴とする超音波手術用アセンブリ。
【請求項２０】
請求項１９に記載の超音波手術用アセンブリにおいて、前記情報の少なくとも一部は、導波管の識別子、以前に使用した導波管の情報リスト、トランスデューサの識別子、以前に使用したトランスデューサの情報リスト、バッテリの識別子、以前に使用したバッテリの情報リスト、バッテリ状態、ハンドルの識別子、および以前に使用したハンドルの情報リスト、のうちの少なくとも１つであることを特徴とする超音波手術用アセンブリ。
【請求項２１】
請求項２０に記載の超音波手術用アセンブリにおいて、前記デバイス識別部は、前記バッテリが前記バッテリ保持区画にあるときに前記バッテリと通信するよう動作可能であることを特徴とする超音波手術用アセンブリ。
【請求項２２】
請求項９に記載の超音波手術用アセンブリにおいて、前記ハンドル本体が、前記バッテリ保持区画内のバッテリの少なくとも一部をそこから排出するよう動作可能なバッテリイジェクタを前記バッテリ保持区画に具えることを特徴とする超音波手術用アセンブリ。